(57)【要約】      （修正有）【課題】低電圧重水素核融合反応装置の提供。【解決手段】真空中に、二枚のアルミ板の間にカ−バッテリ−液（Ｈ２Ｏ＋Ｈ２ＳＯ４）と重水Ｄ２Ｏを染ませた薄い紙を挟み、陽極と陰極にする。この陰極板には小穴を開ける。両極間の電圧Ｖを約１６Ｖととし、電極と並行に約２ガウスの磁場Ｂ０をかける。【効果】２５ｓｅｃ経過すると陰極の小穴から、＜電圧共振的＞にＨ＋，Ｄ＋電流の数倍のヘリウムイオンＨｅ＋＋が発生する。続いてＶを１００Ｖに上げると、Ｖ，Ｂ０を切ってもＨｅ＋＋電流が永続する。【選択図】図１
2008261830.tif 000002
【特許請求の範囲】
【請求項１】
金属板の間に重水を含む液体を染ませた紙または絶縁膜を挟み、金属板間に電圧をかけ、且つ、金属板に平行な磁場をかけ、陰極側の金属板の穴から出てくるヘリウムイオンを電源として利用する重水素核融合装置。
【発明の詳細な説明】
はじめに
高温核融合では負電子ｅ−と重水素イオンＤ＋を高エネルギ−の１０Ｋｅｖ以上に加熱し、Ｄ＋＋Ｄ＋のク−ロン反発を抑え、ヘリウムイオンＨｅ＋＋にして核融合エネルギ−を得る。それは太陽の中心部か水爆を模倣することであり、具体的応用例としては、閉じ込め磁場を用いるトカマクかヘリカルプラズマ核融合研究装置、及び、レ−ザ−慣性核融合研究装置である。しかし、研究を始めて５０年以上経った現在も原理的見通しが確立していない。
一方、最近話題になった＜常温核融合装置＞は化学的液体エネルギーと物理的核融合エネルギ−の区別がつかず、やはり原理的にも不明である。
かくて、地上の現核融合研究装置は全て絶望的であり、著者は［別の自然現象と素粒子の基本］に注目しなければならないと考えている。具体的には太陽の中心部でなく太陽周辺のコロナの〜１００万度と永続性。次に、負電荷の第３世代素粒子タウ粒子（電荷＝電子電荷ｅ−、質量＝３３１２倍の電子質量）である。
本発明では上の注目の下に発見された、物理的に正確な別の重水素核融合を示
2008261830.tif 000003
要旨
真空中に、二枚のアルミ板の間にカ−バッテリ−液（Ｈ２Ｏ＋Ｈ２ＳＯ４）と重水Ｄ２Ｏを染ませた薄い紙を挟み、電圧Ｖをかけ、陽極と陰極にする。この陰極板に小穴を
2008261830.tif 000004
１６Ｖとして、そのアルミ板面に平行に弱磁場Ｂ０（２ガウス以上）もかけ、〜２５ｓｅｃ経過すると陰極の小穴から、＜電圧共振的＞にＨ＋，Ｄ＋電流の数倍のヘリウムイオンＨｅ＋＋が発生する。続いてＶを１００Ｖ以上に上げると、Ｖ，Ｂ０を切ってもＨｅ＋＋イオン電流のみが永続する。即ち、Ｈｅ＋＋の≧１００Ｖ，〜１μＡ／ｃｍ２の自己点火の重水素核融合装置ができる。
以上の現象は太陽コロナの〜１００万度（１００ｅＶ）の加熱と永続性に類似している。
本文
図１に低電圧重水素核融合装置の基本を示す。図で二つのＡｌは陽極Ａと陰極Ｋを形成する平面の薄いアルミ（〜０．１ｍｍ）板（箔）、Ｐはカ−バッテリ−液（Ｈ２Ｏ＋Ｈ２ＳＯ４）と重水Ｄ２Ｏを染ました薄い紙（〜０．１ｍｍ）、Ｂ０はＡｌ板に平行にかけた弱磁場（≧２ガウス）、Ｖは１００Ｖまでの直流電源、ＢＭは９０度曲げ磁場型質量分析器の磁場、ＢＣはその分析器のビ−ムコレクタ−、ｉはＢＣへの電流、Ｄ＋は重水素正イオン、Ｈｅ＋＋はヘリウム正イオン（２価）を示す。
この装置は回転ポンプによって１０〜１０２Ｐａの真空中に配置され、液体から気体化され、更に一部イオン化される（電場によって）。
図２は正イオン電流の電圧に対する共振現象＜電圧共振＞を示す。図１の直流
2008261830.tif 000005
その質量分析器のＢＣへの電流ｉが急に数倍増大し、重水素正イオンＤ＋からヘリウム正イオンＨｅ＋＋になる。
＊直交磁場型質量分析器でのイオンの質量ｍは
ｍ＝Ｚｅ（ＢＭｒ）２ｍｅ／Ｖｉ＝８．８×１０−２Ｚ（ＢＭｒ）２ｍｅ／Ｖｉ
で評価される。ここに、ｅは電子の電荷、ＢＭはガウス単位の分析磁場、
ｒはｃｍ単位の曲率半径、Ｖｉはボルト単位のイオン加速電圧、ｍｅは電子
の質量である。Ｚは荷電数である。
2008261830.tif 000006
かけるとＢＣへの電流ｉが共振的に増大しＨｅ＋＋が発生することが注目すべき実験
2008261830.tif 000007
なお、紙Ｐに染ませるカ−バッテリ−液の代わりに単なる純水Ｈ２Ｏ，重水Ｄ２ＯではＨ＋，Ｄ＋（ＯＨ−，ＯＤ−と共に）しか現れず、Ｈ２ＳＯ４，Ｄ２ＳＯ４の存在が重要であった。換言すれば、ＳＯ４−−が上の質量分析器で測定されており、電圧共振とＨｅ＋＋発生に決定的であり、その濃度は共振電圧を支配することも実験的に判明している。
2008261830.tif 000008
３に示したように、永続的にＨｅ＋＋イオン電流が（≧１００Ｖ，１μＡ／ｃｍ２）発生する。即ち、Ｄ＋＋Ｄ＋⇒Ｈｅ＋＋＋エネルギ−放出、の［自己点火］の低電圧重水素核融合装置となる。
図４に陽極Ａ、陰極Ｋ間の電圧分布を示すと、真空中で乾燥した紙ＰからＡｌ陰
2008261830.tif 000009
後に、電源電圧を上げて、任意の電圧Ｖで電源を切ってＨｅ＋＋イオン電流維持時間を示してある。Ｖ＝１６Ｖでは〜１ｍｉｎ、５０Ｖで〜５ｍｉｎ、７０Ｖで〜２０ｍｉｎ、８５Ｖで〜１２ｈｏｕｒ（半日）、１００Ｖで永続する、即ち、自己点火（出力／入力⇒∞）の核融合炉となる。事実、現在半年以上持続している。
最後に、真空中に置かねばならないのは真空ポンプを要するので、電力損失にもなり、真の自己点火にならない。そこで図６のように、図１の装置を大気中に出すには、Ａｌ陰極Ｋとビ−ムコレクタ−ＢＣの距離を５ｍｍ以下にする。このようにすると、図１の真空中の場合と同程度（≧３／４）のＨｅ＋＋ビ−ム電流ｉとなる。この理由は、Ｈ２Ｏ，Ｄ２Ｏの圧力が気温１０℃で〜０．０１気圧であり、Ｈｅ＋＋のエネルギ−１００ｅＶ以上では平均自由行程が長く、衝突が小さくなるためと考えられる。
なお、陰極Ｋの小穴を多くすると、Ｈｅ＋＋電流ｉは比例して増大する。即ち、Ａｌ板（箔）と薄い紙、カ−バッテリ−液と少しの重水を増加させるだけで上の重水素核融合装置の出力は増大する。
重要な実験事実
2008261830.tif 000010
場Ｂ０≧２ガウス［Ａｌ陰極に平行な］の必要性，紙に染ませた液の温度が〜３００°Ｋとすれば電子のサイクロトロン半径は０．３ｃｍに対応、（３）最終電圧Ｖ≧１００Ｖで自己点火になる。
太陽コロナ加熱〜ニュ−トリノとの類似
上の自己点火している重水素核融合装置の陰極Ｋ面にほぼ垂直に、図７に示した平面コンデンサ−（詳細は特願２００２−２９４２６４参照）の面を向ける。かくて、コンデンサー回路の電圧ＶＣをＶＣ≧９０Ｖにすると、コンデンサ−回路に（電子）電流が発生（〜２０ｎＡ）する。次にこのコンデンサ−の面を太陽周辺のコロナに向けるとやはりＶＣ≧９０Ｖで電流が受かる。明らかに、太陽中心部からの電子ニュ−トリノと相違する（これは１６０Ｖ以上でないと発生しない）。これ等の実験事実からタウニュ−トリノντで重水素イオンＤ＋間の核融合が起こり、
ντ＋Ｄ＋＋Ｄ＋⇒τ−＋Ｈｅ＋＋＋（Ｅｎｅｒｇｙ△ｍｃ２）
でヘリウムイオンが発生したと考えられる。ここにτ−はタウ粒子で電子の３３１２倍の質量を持ち（ｍ＝３３１２ｍｅ、ｍｅは電子の質量）、電荷は電子と同じｅ−である。このτ−は重水素イオンＤ＋の質量３６８０ｍｅに近いので（３３１２／３６８０＝０．９）、重水素正イオン間のク−ロン反発力を抑制して核融合Ｄ＋＋Ｄ＋⇒Ｈｅ＋＋を起こしている。
一方、太陽の中心部では、電子ｅ−中のＰ−Ｐ（Ｈ＋−Ｈ＋）チェ−ン反応で  〜１５００ｅＶでク−ロン反発力を抑制し高温核融合を起こしている。また地上の磁場閉じ込め高温プラズマ核融合では１０ＫｅＶ以上の高密度重水素イオンを、長時間閉じ込める必要がある。これ等は全て、電子ｅ−による正イオン間のク−ロン反発力の中和のためである。しかし、第３世代素粒子τ−では１００ｅＶ以上で瞬時にして、自己点火の重水素核融合を生ずる。コロナと低電圧重水素核融合装置がそれを証明している。
＊電極材料の問題
化学的＜常温核融合＞で以前に話題になったパラジウムＰｄを陰極Ａｌ板の代わりに使用した結果、図１で弱磁場Ｂ０をかけなくてもＶ＝２１ＶでヘリウムＨｅ＋＋イオンが発生したが約３０ｓｅｃで間欠（ＢＣへのイオン電流ｉ；８ｎＡ〜０）し安定しなかった。次にＢ０をかけても、大きな変動があり（約１０ｓｅｃで８ｎＡ〜４ｎＡ）、Ｖ≧１００Ｖにしても自己点火は起きなかった。Ｐｄは重水素を吸収するためと考えられる。
他にＡｌ板以外では、ＳＵＳ板でも同様な結果を得ている。Ｃｕ板ではＨ２ＳＯ４と化学反応するので共振電圧が１６Ｖより低下し、〜７Ｖになり安定しなかった。
2008261830.tif 000011
はアルミ箔と紙の面積を増大すれば出力の大きな自己点火の重水素核融合装置となる。
【図面の簡単な説明】
【図１】低電圧重水素核融合装置（真空中）の組織図。
【図２】陽極−陰極間の電圧Ｖ＝１６Ｖのとき、陰極の小穴からの正イオン電流ｉの分析磁場への依存性。＜電圧共振＞の発見
【図３】電圧共振の後Ｖ＝１００Ｖに上げ、Ｖを切って長年月が経ったときのＨｅ＋＋電流の分析磁場特性。＜自己点火＞の発見
【図４】陽極−陰極間の＜電位分布＞。
【図５】電圧共振の後Ｖを任意電圧に上げて切ったときのＨｅ＋＋イオン電流の持続時間。＜持続時間＞。
【図６】図１の真空中の低電圧重水素核融合装置を大気中に出したときの組織図＜低電圧重水素核融合装置（大気中）＞。
【図７】低電圧重水素核融合装置（大気中）と太陽周辺コロナからのタウニュ−トリノの平面コンデンサ−による検出図。
【符号の説明】
［図１］  図１図面参照
［図２］  ｉ：正イオン電流、Ｈ＋：水素正イオン電流、Ｄ＋：重水素正イオン電流、Ｈｅ＋＋：ヘリウム２価正イオン電流、Ｂ０：陽極と陰極のアルミ板に平行にかけた弱磁場。
［図３］  図１図面参照
［図４］  Ｖ：陽極−陰極の電圧。図１図面参照
［図５】  ｔ＝∞：持続時間が無限大になる（自己点火を示す）。
［図６］  Ｉｎｓ．：陽極と紙（Ｐ）の間に挿入した絶縁膜。図１参照
［図７］  Ｍ：平面金属板、Ｄ２Ｏ：重水を染ませた紙、Ｉｎｓ．：絶縁膜、ντ：タウニュ−トリノ、Ｉｅ：電子電流、Ｈｅ＋＋：ヘリウムイオン。
【図１】
2008261830.tif 000012
【図２】
2008261830.tif 000013
【図３】
2008261830.tif 000014
【図４】
2008261830.tif 000015
【図５】
2008261830.tif 000016
【図６】
2008261830.tif 000017
【図７】
2008261830.tif 000018